(57)【特許請求の範囲】
【請求項１】
緊急コールを確立する方法であって、
モバイル・ネットワークを介して緊急コールを行うための車両内システム（ＩＶＳ）を備える車両において、緊急をトリガすることと、
前記ＩＶＳにおいて、前記緊急コールのための位置更新メッセージを生成することと、前記位置更新メッセージは、前記緊急コールのための登録を示すインジケータを備え、
前記モバイル・ネットワークに前記ＩＶＳを登録するために、前記ＩＶＳから前記モバイル・ネットワークへ前記位置更新メッセージを送信することと、
前記ＩＶＳにおいて緊急セットアップ・メッセージを生成することと、
前記緊急コールを確立するために、前記ＩＶＳから前記モバイル・ネットワークへ前記緊急セットアップ・メッセージを送信することと、を備える方法。
【請求項２】
前記位置更新メッセージが前記モバイル・ネットワークで受信されることに応じて、前記モバイル・ネットワークへの前記ＩＶＳの登録のための高い優先度を受信すること、をさらに備える請求項１に記載の方法。
【請求項３】
前記ＩＶＳは、前記高い優先度で前記モバイル・ネットワークへ登録される、請求項２に記載の方法。
【請求項４】
前記ＩＶＳが前記モバイル・ネットワークに登録された後、前記モバイル・ネットワークを介して、前記ＩＶＳによる前記緊急コールを開始すること、をさらに備える請求項３に記載の方法。
【請求項５】
前記緊急コールは、前記緊急セットアップ・メッセージを用いて前記ＩＶＳによって開始される、請求項４に記載の方法。
【請求項６】
前記ＩＶＳは、緊急モードでコールを行うためにのみ動作可能である、請求項１に記載の方法。
【請求項７】
前記インジケータは、緊急コール登録のための原因値を有する位置更新タイプを備える、請求項１に記載の方法。
【請求項８】
前記インジケータは、緊急コール登録のための値を含む追加の更新情報を備える、請求項１に記載の方法。
【請求項９】
前記緊急セットアップ・メッセージは、緊急コール・インジケータのために使用される少なくとも１ビットを有するサービス・カテゴリ情報要素を備える、請求項１に記載の方法。
【請求項１０】
前記ＩＶＳは、前記位置更新メッセージが前記モバイル・ネットワークにおいて受信されることに応じて、前記モバイル・ネットワークに直ちに登録される、請求項１に記載の方法。
【請求項１１】
前記ＩＶＳは、前記モバイル・ネットワークが訪問ネットワークであるかホーム・ネットワークであるかに関わらず、前記モバイル・ネットワークに直ちに登録される、請求項１０に記載の方法。
【請求項１２】
前記モバイル・ネットワークは訪問ネットワークである、請求項１に記載の方法。
【請求項１３】
前記モバイル・ネットワークはホーム・ネットワークである、請求項１に記載の方法。
【請求項１４】
緊急コールを確立する装置であって、
モバイル・ネットワークを介して緊急コールを行うための車両内システム（ＩＶＳ）を備える車両において、緊急をトリガする手段と、
前記ＩＶＳにおいて、前記緊急コールのための位置更新メッセージを生成する手段と、前記位置更新メッセージは、前記緊急コールのための登録を示すインジケータを備え、
前記モバイル・ネットワークに前記ＩＶＳを登録するために、前記ＩＶＳから前記モバイル・ネットワークへ前記位置更新メッセージを送信する手段と、
前記ＩＶＳにおいて緊急セットアップ・メッセージを生成する手段と、
前記緊急コールを確立するために、前記ＩＶＳから前記モバイル・ネットワークへ前記緊急セットアップ・メッセージを送信する手段と、を備える装置。
【請求項１５】
前記位置更新メッセージが前記モバイル・ネットワークで受信されることに応じて、前記モバイル・ネットワークへの前記ＩＶＳの登録のための高い優先度を受信する手段、をさらに備える請求項１４に記載の装置。
【請求項１６】
前記ＩＶＳは、前記高い優先度で前記モバイル・ネットワークへ登録される、請求項１５に記載の装置。
【請求項１７】
前記ＩＶＳが前記モバイル・ネットワークに登録された後、前記モバイル・ネットワークを介して、前記ＩＶＳによる前記緊急コールを開始する手段、をさらに備える請求項１６に記載の装置。
【請求項１８】
前記緊急コールは、前記緊急セットアップ・メッセージを用いて前記ＩＶＳによって開始される、請求項１７に記載の装置。
【請求項１９】
前記ＩＶＳは、緊急モードでコールを行うためにのみ動作可能である、請求項１４に記載の装置。
【請求項２０】
前記インジケータは、緊急コール登録のための原因値を有する位置更新タイプを備える、請求項１４に記載の装置。
【請求項２１】
前記インジケータは、緊急コール登録のための値を含む追加の更新情報を備える、請求項１４に記載の装置。
【請求項２２】
前記緊急セットアップ・メッセージは、緊急コール・インジケータのために使用される少なくとも１ビットを有するサービス・カテゴリ情報要素を備える、請求項１４に記載の装置。
【請求項２３】
前記ＩＶＳは、前記位置更新メッセージが前記モバイル・ネットワークにおいて受信されることに応じて、前記モバイル・ネットワークに直ちに登録される、請求項１４に記載の装置。
【請求項２４】
前記ＩＶＳは、前記モバイル・ネットワークが訪問ネットワークであるかホーム・ネットワークであるかに関わらず、前記モバイル・ネットワークに直ちに登録される、請求項２３に記載の装置。
【請求項２５】
前記モバイル・ネットワークは訪問ネットワークである、請求項１４に記載の装置。
【請求項２６】
前記モバイル・ネットワークはホーム・ネットワークである、請求項１４に記載の装置。
【請求項２７】
モバイル・ネットワークを介して緊急コールを行うための車両内システム（ＩＶＳ）を備える車両において、緊急をトリガすることと、
前記ＩＶＳにおいて、前記緊急コールのための位置更新メッセージを生成することと、前記位置更新メッセージは、前記緊急コールのための登録を示すインジケータを備え、
前記モバイル・ネットワークに前記ＩＶＳを登録するために、前記ＩＶＳから前記モバイル・ネットワークへ前記位置更新メッセージを送信することと、
前記ＩＶＳにおいて緊急セットアップ・メッセージを生成することと、
前記緊急コールを確立するために、前記ＩＶＳから前記モバイル・ネットワークへ前記緊急セットアップ・メッセージを送信することと、をコンピュータに実行させる命令群を備える非一時的なコンピュータ読取可能な記憶媒体。
【請求項２８】
前記位置更新メッセージが前記モバイル・ネットワークで受信されることに応じて、前記モバイル・ネットワークへの前記ＩＶＳの登録のための高い優先度を受信すること、をコンピュータに実行させるコンピュータ実行可能な命令群をさらに備える、請求項２７に記載のコンピュータ読取可能な記憶媒体。
【請求項２９】
前記ＩＶＳは、前記高い優先度で前記モバイル・ネットワークへ登録される、請求項２８に記載のコンピュータ読取可能な記憶媒体。
【請求項３０】
前記ＩＶＳが前記モバイル・ネットワークに登録された後、前記モバイル・ネットワークを介して、前記ＩＶＳによる前記緊急コールを開始すること、をコンピュータに実行させるコンピュータ実行可能な命令群をさらに備える、請求項２９に記載のコンピュータ読取可能な記憶媒体。
【請求項３１】
前記緊急コールは、前記緊急セットアップ・メッセージを用いて前記ＩＶＳによって開始される、請求項３０に記載のコンピュータ読取可能な記憶媒体。
【請求項３２】
前記ＩＶＳは、緊急モードでコールを行うためにのみ動作可能である、請求項２７に記載のコンピュータ読取可能な記憶媒体。
【請求項３３】
前記インジケータは、緊急コール登録のための原因値を有する位置更新タイプを備える、請求項２７に記載のコンピュータ読取可能な記憶媒体。
【請求項３４】
前記インジケータは、緊急コール登録のための値を含む追加の更新情報を備える、請求項２７に記載のコンピュータ読取可能な記憶媒体。
【請求項３５】
前記緊急セットアップ・メッセージは、緊急コール・インジケータのために使用される少なくとも１ビットを有するサービス・カテゴリ情報要素を備える、請求項２７に記載のコンピュータ読取可能な記憶媒体。
【請求項３６】
前記ＩＶＳは、前記位置更新メッセージが前記モバイル・ネットワークにおいて受信されることに応じて、前記モバイル・ネットワークに直ちに登録される、請求項２７に記載のコンピュータ読取可能な記憶媒体。
【請求項３７】
前記ＩＶＳは、前記モバイル・ネットワークが訪問ネットワークであるかホーム・ネットワークであるかに関わらず、前記モバイル・ネットワークに直ちに登録される、請求項３６に記載のコンピュータ読取可能な記憶媒体。
【請求項３８】
緊急コールを確立する装置であって、
モバイル・ネットワークを介して緊急コールを行うための車両内システム（ＩＶＳ）を備える車両において、緊急をトリガし、
前記ＩＶＳにおいて、前記緊急コールのための位置更新メッセージを生成し、前記位置更新メッセージは、前記緊急コールのための登録を示すインジケータを備え、
前記ＩＶＳにおいて、緊急セットアップ・メッセージを生成する少なくとも１つのプロセッサと、
前記モバイル・ネットワークに前記ＩＶＳを登録するために、前記ＩＶＳから前記モバイル・ネットワークへ前記位置更新メッセージを送信し、
前記緊急コールを確立するために、前記ＩＶＳから前記モバイル・ネットワークへ前記緊急セットアップ・メッセージを送信する送信機と、を備える装置。
【請求項３９】
前記位置更新メッセージが前記モバイル・ネットワークで受信されることに応じて、前記モバイル・ネットワークへの前記ＩＶＳの登録のための高い優先度を受信する受信機、をさらに備える請求項３８に記載の装置。
【請求項４０】
前記少なくとも１つのプロセッサは、前記ＩＶＳが前記モバイル・ネットワークに登録された後、前記モバイル・ネットワークを介して、前記ＩＶＳによる前記緊急コールを開始する、請求項３９に記載の装置。
【請求項４１】
前記緊急コールは、前記緊急セットアップ・メッセージを用いて前記ＩＶＳによって開始される、請求項４０に記載の装置。
【請求項４２】
前記ＩＶＳは、緊急モードでコールを行うためにのみ動作可能である、請求項３８に記載の装置。
【請求項４３】
前記インジケータは、緊急コール登録のための原因値を有する位置更新タイプを備える、請求項３８に記載の装置。
【請求項４４】
前記インジケータは、緊急コール登録のための値を含む追加の更新情報を備える、請求項３８に記載の装置。
【請求項４５】
前記緊急セットアップ・メッセージは、緊急コール・インジケータのために使用される少なくとも１ビットを有するサービス・カテゴリ情報要素を備える、請求項３８に記載の装置。
【請求項４６】
前記ＩＶＳは、前記位置更新メッセージが前記モバイル・ネットワークにおいて受信されることに応じて、前記モバイル・ネットワークに直ちに登録される、請求項３８に記載の装置。
【発明の詳細な説明】
【関連出願に対する相互参照】
【０００１】
本願は、その全体が参照によって本明細書に組み込まれている２０１１年１２月１６日出願の「車両内緊急コール・サービスのための優先登録」（PRIORITY REGISTRATION FOR IN-VEHICLE EMERGENCY CALL SERVICE）と題された係属中の米国特許出願１３／３２８，７６３の一部継続出願である。本願は、２０１１年５月１１日出願の仮特許出願６１／４８５，０７６号と、２０１１年１１月３日出願の仮特許出願６１／５５５，２９３号とに対する３５ Ｕ.Ｓ.Ｃ. １１９条（ｅ）の利益の下の優先権を主張する。これら仮特許出願は、その全体が本明細書において参照によって明確に組み込まれている。
【背景技術】
【０００２】
無線通信ネットワークは、例えば音声、ビデオ、パケット・データ、メッセージング、ブロードキャスト等のようなさまざまな通信サービスを提供するために広く開発された。これら無線ネットワークは、使用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００３】
無線ネットワークは、多くの端末のための通信をサポートしうる。端末は、緊急イベントに応じて緊急コールを行いうる。緊急コールは、緊急サービス（例えば、警察、消防、医療、またはその他の緊急サービス）を求めるコールであり、緊急サービス・コールとも称されうる。緊急コールは、北米では「９１１」または欧州では「１１２」のようなよく知られた緊急番号をユーザがダイヤルすることによって開始されうる。緊急コールのために、端末と無線ネットワークとの間でシグナリングを効率的に交換することが所望されうる。
【０００４】
ｅコールは、車両内緊急コール・サービスを称する。車両を含む衝突のイベントでは、ｅコール車両内システム（ＩＶＳ）が、（無線ネットワークまたはセルラ・ネットワークとも称される）モバイル・ネットワークを介して、例えばパブリック・セーフティ・アンサリング・ポイント（ＰＳＡＰ）のような緊急機関への緊急コールを確立する。ＩＶＳは、「ｅコール・オンリー」サービスのため、または、「ミックス・モードｅコール」サービスのためにプロビジョンされうる。「ミックス・モードｅコール」サービスでは、システムは、非緊急コール、加入者ベースのコールのような緊急ｅコールを実行するために使用されうる。「ｅコール・オンリー」モードでは、システムは、ｅコールのみを行うために起動されうる。
【０００５】
さらに詳しくは、例えば、車両に関連付けられ、事故時において緊急コールをするという唯一の目的のために設計されたデバイスのような専用ｅコール・デバイスは、一般に、「ｅコール・オンリー」モードで動作するデバイスと称される。すなわち、ｅコール・オンリー・モードは、デバイスが緊急コールの開始を試みている場合および緊急コール中を除いて、あるいは、デバイスがテストまたは再設定接続の開始を試みている場合を除いて、少なくとも、デバイスが、パブリック・ランド・モバイル・ネットワーク（ＰＬＭＮ）への登録を含むモビリティ管理手順を実行しないことを必要とする。
【０００６】
ｅコール・オンリー・モードにあるＩＶＳは、ｅコールがトリガされる前にモバイル・ネットワークに登録しない。ｅコール緊急トリガの場合には、２つの動作が行なわれる。（１）ＩＶＳがモバイル・ネットワークに登録しなければならない。次に、（２）ＩＶＳがｅコール緊急コールを開始する。従来、ｅコールのためのモバイル・ネットワークへの登録は、非緊急コールと同じ優先度で実行されている。モバイル・ネットワークへのＩＶＳの従来の登録は、緊急コールをする際に遅れをもたらしうる。ｅコール・オンリー・モードにおけるＩＶＳは、事件がｅコールをトリガした後、できるだけ早く、登録に成功できることが重要である。
【発明の概要】
【０００７】
ｅコールは、（ｉ）トリガ・イベント（例えば、車両が事故に巻き込まれること）によって、無線端末によって自動的に、または、ユーザによってマニュアルで開始されうる、および、（ｉｉ）端末によって例えばパブリック・セーフティ・アンサリング・ポイント（ＰＳＡＰ）のような受信エンティティへ自動的に送信される追加データを含みうる、緊急コールである。
【０００８】
緊急コール・シグナリング（例えば、緊急セットアップ・メッセージまたは位置更新メッセージ）は、モバイル・ネットワークに、ｅコール・オンリー・モード車両内システム（ＩＶＳ）を登録することに高い優先度を与えるために使用される。ＩＶＳは、ｅコール緊急がＩＶＳにおいてトリガされた直後に、モバイル・ネットワークから高い優先度を得うる。モバイル・ネットワークへの接続を要求した場合、ＩＶＳは、このネットワークへ登録するために、従来の「アクセス手順」および従来の「登録」メッセージの代わりに、「緊急アクセス手順」および／または「緊急セットアップ」メッセージを使用しうる。
【０００９】
実施では、モバイル・ネットワークを介して緊急コールを行うＩＶＳを備える車両内で緊急がトリガされる。モバイル・ネットワークは、ホーム・ネットワークまたは訪問ネットワークであり、ＩＶＳは、緊急モードにおいてコールするためにのみ動作する。ＩＶＳは、モバイル・ネットワークからのラジオ・リソースを要求するために「緊急アクセス手順」を実行する。
【００１０】
１つの実施では、ラジオ・リソースが割り当てられた場合、ＩＶＳにおいて緊急セットアップ・メッセージが生成される。そして、この緊急セットアップ・メッセージは、モバイル・ネットワークにＩＶＳを登録するために、ＩＶＳからモバイル・ネットワークへ送信される。緊急セットアップ・メッセージは、モバイル・ネットワークにデバイスを登録するための登録メッセージとは異なる。緊急セットアップ・メッセージがモバイル・ネットワークにおいて受信されることに応じて、モバイル・ネットワークへのＩＶＳの登録のための高い優先度が受信される。
【００１１】
別の実施では、ラジオ・リソースがＩＶＳへ割り当てられた場合、緊急による登録を示す登録メッセージが、モバイル・ネットワークに送信される。緊急コールを示すために、位置更新メッセージが使用されうる。実施では、位置更新メッセージの位置更新タイプ・フィールドの原因値が、例えば、登録が緊急コールのためであることを示すために、「１１」のような値に設定されうる。あるいは、または、それに加えて、登録が緊急コールのためであることを示すために、位置更新メッセージの追加の更新パラメータ・フォールドが使用されうる。モバイル・ネットワークはその後、この登録に、より高い優先度を与え、この登録が完了すると、緊急コールを確立するために、ＩＶＳが、緊急セットアップ・メッセージを送信するだろう。
【００１２】
実施では、ＩＶＳがモバイル・ネットワークに登録された後、ＩＶＳによる緊急コールが、モバイル・ネットワークを介して開始される。緊急コールは、ＩＶＳが、緊急アクセス手順および緊急セットアップ・メッセージを使用することによって開始される。
【００１３】
この要約は、以下の詳細説明でさらに説明される概念の選択をより簡単な形式で導くために提供されている。この要約は、権利主張されている主題の主要な特徴または本質的な特徴を特定することは意図されておらず、権利主張される主題のスコープを制限するために使用されることも意図されていない。
【図面の簡単な説明】
【００１４】
前述した要約は、以下の例示的な実施形態の詳細説明と同様、添付図面と連携して読まれた場合により良く理解される。実施形態を例示する目的のために、実施形態の構成の例が図面に示されている。しかしながら、これら実施形態は、開示された特定の方法および実装に限定されない。これら図面では、
【図１】図１は、典型的なネットワーク構成を示す。
【図２】図２は、端末によってｅコールを確立するためのメッセージ・フローを示す。
【図３】図３は、ｅコール・インジケータを伝送する緊急セットアップ・メッセージを示す。
【図４】図４は、ｅコール登録のために、緊急セットアップ・メッセージを用いて端末によって実行される処理を示す。
【図５】図５は、ｅコール登録をサポートするために、緊急セットアップ・メッセージを用いてネットワークによって実行される処理を示す。
【図６】図６は、モバイル・ネットワークを介して緊急コールを確立する方法の動作フローである。
【図７】図７は、ｅコール・インジケータを伝送する位置更新メッセージを示す。
【図８】図８は、緊急コール確立が後続する位置更新メッセージを用いたｅコール端末による登録のためのメッセージ・フローの実施を示す。
【図９】図９は、緊急コール確立が後続する、ｅコール原因による位置更新メッセージを用いたｅコール登録のために、端末によって実行される処理を示す。
【図１０】図１０は、緊急コール確立が後続する、位置更新メッセージを用いてｅコール登録をサポートするためにネットワークによって実行される処理を示す。
【図１１】図１１は、本明細書に開示されたさまざまな実装を例示するｅコール・オンリー対応デバイスとして動作するようにプロビジョンされうる典型的なＩＶＳ無線デバイスまたは装置のブロック図である。
【図１２】図１２は、端末、基地局、およびモバイル交換局（ＭＳＣ）のブロック図を示す。
【発明を実施するための形態】
【００１５】
ｅコールをサポートする技術が本明細書に記載されている。ｅコールは、（ｉ）トリガ・イベント（例えば、車両が事故に巻き込まれること）によって無線端末によって自動的に、または、ユーザによってマニュアルで開始されうる、および、（ｉｉ）端末によって例えばパブリック・セーフティ・アンサリング・ポイント（ＰＳＡＰ）のような受信エンティティへ自動的に送信される追加データを含みうる、緊急コールである。追加データは、車両識別情報、車両位置、トリガ・イベント等を含みうる。そして、音声パスに沿って帯域内で送信されうるか、あるいは、個別のシグナリングまたはデータ／テキスト転送によって帯域外で送信されうる。ｅコールをサポートする端末は、（ｉ）例えば音声コール、パケット・データ、テキスト・メッセージ、ビデオ等のような通常のサービスへ加入する通常の無線端末でありうるか、または、（ｉｉ）ｅコール・オンリー端末と称される、ｅコールのみをサポートする端末でありうる。ｅコールは、（ユーザが「９１１」をダイヤルすることによって起動される緊急コールに類似した）緊急コールに加え、受信側エンティティへの追加データの自動送信を備える。
【００１６】
本明細書にさらに記載されるように、いくつかの実施では、モバイル・ネットワークにｅコール・オンリー・モードＩＶＳを登録することに高い優先度を与えるために、「緊急セットアップ」シグナリング（例えば、「緊急セットアップ・メッセージ」）が使用される。ＩＶＳは、ｅコール緊急がＩＶＳにおいてトリガされた直後に、モバイル・ネットワークから高い優先度を得うる。モバイル・ネットワークへの接続を要求した場合、ＩＶＳは、ネットワークに登録するために、従来の「登録」メッセージの代わりに、「緊急セットアップ」メッセージを使用しうる。あるいは、いくつかの実施では、登録を実行するために、位置更新メッセージを用いて緊急アクセスが実行される。ここで、位置更新メッセージの原因値は、原因がｅコールであることを示すために設定される。そして、その後、緊急コール・セットアップが確立される。
【００１７】
ＩＶＳが「ローミング」しており、そのホーム・パブリック・ランド・モバイル・ネットワーク（ＨＰＬＭＮ）または「ホーム・ネットワーク」が利用可能ではない場合、一方が利用可能であれば、ＩＶＳは、ビジタ・パブリック・ランド・モバイル・ネットワーク（ＶＰＬＭＮ）または「ローミング・ネットワーク」で登録しなければならない。しかしながら、ローミング・ネットワークは、ＩＶＳを登録する前に、ＩＶＳのホーム・ネットワークから許可を受信する必要がある。しかしながら、特に、登録（およびその後のコール・サービス）のみを許可するローミング登録管理ポリシー（ＲＲＭＰ）をホーム・ネットワークが有する場合のような典型的な事例では、このような許可が、ホーム・ネットワークが好適なビジネス取り決めを確立した好適なＶＰＬＭＮパートナ（「好適なパートナ」）によって拒否されることは珍しくはない。したがって、動作中、ホーム・ネットワークは、もしも好適なパートナのうちの１つを介して登録要求を受信も受諾もしていないのであれば、受信および受諾するまで、非好適ローミング・ネットワークからの登録を自動的に拒否しうる。本明細書にさらに記載されているように、ｅコール原因による位置更新メッセージまたは緊急セットアップ・メッセージは、ホーム・ネットワーク（ＨＰＬＭＮ）によって認識されうる。一方、ホーム・ネットワークは、何れかのローミング・ネットワーク（ＶＰＬＭＮ）への登録を試みているｅコール・オンリー加入者からの登録要求を直ちに受諾する。ｅコール原因による位置更新メッセージまたは緊急セットアップ・メッセージは、訪問ネットワークによって認識されうる。一方、訪問ネットワークは、ｅコール・オンリー加入者からの登録要求を直ちに受諾する。
【００１８】
図１は、訪問ネットワーク１０２、ホーム・ネットワーク１０４、およびサード・パーティ・ネットワーク１０６を含みうる典型的なネットワーク構成１００を示す。訪問ネットワーク１０２はまた、訪問パブリック・ランド・モバイル・ネットワーク（Ｖ−ＰＬＭＮ）、サービス提供ネットワーク等とも称されうる。ホーム・ネットワーク１０４はまた、ホームＰＬＭＮ（Ｈ−ＰＬＭＮ）とも称されうる。訪問ネットワーク１０２は、ホーム・ネットワーク１０４からローミングしうる端末１００のためのサービス提供ネットワークでありうる。訪問ネットワーク１０２およびホーム・ネットワーク１０４は、端末１１０がローミングしていない場合、同じネットワークでありうる。
【００１９】
訪問ネットワーク１０２は、ラジオ・アクセス・ネットワーク（ＲＡＮ）１２０、モバイル交換センタ（ＭＳＣ）／訪問ロケーション・レジスタ（ＶＬＲ）１３０、および、簡略のために図１に示されていないその他のネットワーク・エンティティを含みうる。ＲＡＮ１２０は、グローバル移動体通信システム（ＧＳＭ（登録商標））ネットワーク、広帯域符号分割多元接続（ＷＣＤＭＡ（登録商標））ネットワーク、汎用パケット・ラジオ・サービス（ＧＰＲＳ）アクセス・ネットワーク、ロング・ターム・イボリューション（ＬＴＥ）ネットワーク、ＣＤＭＡ  １Ｘネットワーク、高レート・パケット・データ（ＨＲＰＤ）ネットワーク、ウルトラ・モバイル・ブロードバンド（ＵＭＢ）ネットワーク等でありうる。ＧＳＭ、ＷＣＤＭＡ、ＧＰＲＳ、およびＬＴＥは、ユニバーサル・モバイル・テレコミュニケーション・システム（ＵＭＴＳ）の一部であり、「第３世代パートナシップ計画」（３ＧＰＰ）と命名された団体からの文書に記載されている。ＣＤＭＡ  １ＸおよびＨＲＰＤは、ｃｄｍａ２０００の一部であり、ｃｄｍａ２０００およびＵＭＢは、「第３世代パートナシップ計画２」（３ＧＰＰ２）と命名された団体からの文書に記載されている。ＭＳＣは、回路交換コールのための交換機能を実行し、ショート・メッセージ・サービス（ＳＭＳ）メッセージのルーティングをも行いうる。ＶＬＲは、訪問ネットワーク１０２に登録した端末のための登録情報を格納しうる。
【００２０】
ホーム・ネットワーク１０４は、ホーム・ロケーション・レジスタ（ＨＬＲ）／認証センタ（ＡＣ）１４０、および簡略のために図１に図示されていないその他のネットワーク・エンティティを含みうる。ＨＬＲは、ホーム・ネットワーク１０４とのサービス加入を有する端末のための加入者情報を格納しうる。ＡＣは、ホーム・ネットワーク１０４とのサービス加入を有する端末のための認証を実行しうる。
【００２１】
サード・パーティ・ネットワーク１０６は、ルータまたはスイッチ１５０（例えば、ＰＳＡＰ選択ルータ）、ＰＳＡＰ１６０、パブリック交換テレフォン・ネットワーク（ＰＳＴＮ）１７０、および恐らくは、図１に図示されていないその他のネットワーク・エンティティを含みうる。ルータまたはスイッチ１５０は、ＭＳＣ１３０とＰＳＡＰ１６０との間にコールをルーティングしうる。ＰＳＡＰ１６０は、緊急コールに応答することを担当しうる。そして、緊急センタ（ＥＣ）とも称されうる。ＰＳＡＰ１６０は、例えば国または都市のような政府機関によって操作または所有されうる。ＰＳＴＮ１７０は、例えば電話１８０のような従来の有線電話のためのテレフォン・サービスを提供しうる。
【００２２】
図１は、訪問ネットワーク１０２およびホーム・ネットワーク１０４に存在しうるネットワーク・エンティティのいくつかのみを示している。例えば、訪問ネットワーク１０２は、パケット交換コールまたはその他のサービスをサポートするネットワーク・エンティティのみならず、端末位置を取得する際に支援するためのロケーション・サーバを含みうる。
【００２３】
端末１１０は、固定式または移動式であり、ＧＳＭおよびＣＤＭＡ  １Ｘにおいて移動局（ＭＳ）、ＷＣＤＭＡおよびＬＴＥにおいてユーザ機器（ＵＥ）、ＨＲＰＤにおいてアクセス端末（ＡＴ）、セキュア・ユーザ・プレーン・ロケーション（ＳＵＰＬ）におけるＳＵＰＬ対応端末（ＳＥＴ）、加入者ユニット、局、等とも称されうる。端末は、例えばセルラ・フォンまたはその他の無線通信デバイス、パーソナル通信システム（ＰＣＳ）デバイス、パーソナル・ナビゲーション・デバイス（ＰＮＤ）、パーソナル情報マネジャ（ＰＩＭ）、携帯情報端末（ＰＤＡ）、ラップトップ、または、無線通信信号および／またはナビゲーション信号を受信することが可能なその他の適切なモバイル・デバイスのようなデバイスでありうる。端末１１０はまた、衛星信号受信、支援データ受信、および／または、位置決め関連処理がデバイスであるいはパーソナル・ナビゲーション・デバイス（ＰＮＤ）で生じるかに関わらず、例えば短距離無線接続、赤外線接続、有線接続、またはその他の接続によって、ＰＮＤと通信するデバイスでもありうる。さらに、端末１１０は、無線通信デバイス、コンピュータ、ラップトップ等を含むすべてのデバイスを含むことが意図されている。これらは、衛星信号受信、支援データ受信、および／または、位置決め関連処理が、デバイス、サーバ、またはネットワークに関連付けられたその他のデバイスで生じるかに関わらず、例えばインターネットや、ＷｉＦｉや、その他のネットワークを介してサーバと通信することができる。上記のうちの任意の動作可能な組み合わせもまた含まれる。端末１１０はまた、専用車両内システム（ＩＶＳ）でありうる。これは、車両（および恐らくはその一部）に永久に取り付けられうる。
【００２４】
図１に示されるように、端末１１０は、ホーム・ネットワーク１０４とのサービス加入を有し、訪問ネットワーク１０２内をローミングしうる。端末１１０は、訪問ネットワーク１０２においてＲＡＮ１２０から信号を受信しうる。あるいは、通信サービスを取得するためにＲＡＮ１２０と通信しうる。端末１１０はまた、ローミングしていない場合（図１に示されていない）、通信サービスを求めてホーム・ネットワーク１０４と通信しうる。端末１１０はまた、衛星位置決めシステム（ＳＰＳ）の一部でありうる１または複数の衛星１９０から信号を受信しうる。ＳＰＳは、一般に、エンティティが、送信機から受信した信号に少なくとも部分的に基づいて地表または地上における位置を決定できるように位置している送信機のシステムを含む。このような送信機は、一般に、設定されたチップ数からなる準ランダムな雑音（ＰＮ）符号の反復によって印された信号を送信し、グランド・ベースの制御局、ユーザ機器、および／または、宇宙船に位置しうる。特定の例では、このような送信機は、地球周回衛星ビークル（ＳＶ）に位置しうる。例えば、全地球測位システム（ＧＰＳ）、ガリレオ、Ｇｌｏｎａｓｓ、またはＣｏｍｐａｓｓのような全地球型衛星航法システム（ＧＮＳＳ）の座標内のＳＶは、（例えば、ＧＰＳにおけるものとは異なるＰＮ符号を各衛星のために使用する、または、Ｇｌｏｎａｓｓにおけるものとは異なるＰＮ符号を各衛星のために使用する）座標内の他のＳＶによって送信されたＰＮ符号と区別可能であるＰＮ符号によって印された信号を送信しうる。端末１１０は、衛星１９０からの信号を測定し、衛星のための疑似範囲測定値を取得しうる。端末１１０はまた、ＲＡＮ１２０における基地局からの信号を測定し、基地局のタイミングおよび／または信号強度測定値を取得しうる。疑似範囲測定値、タイミング測定値、および／または信号強度測定値は、端末１１０のための位置推定値を導出するために使用されうる。位置推定値は、場所推定値、位置固定等とも称されうる。
【００２５】
端末１１０は、端末に割り当てられたユニークな番号である国際モバイル機器識別情報（ＩＭＥＩ）を有しうる。端末１１０は、ユーザのサービス加入のために使用されうる。サービス加入は、ＧＳＭネットワークおよびＵＭＴＳネットワークのための加入に割り当てられたユニークな番号である国際モバイル加入識別情報（ＩＭＳＩ）に関連付けられうる。サービス加入はまた、サービス加入のための電話番号であるモバイル加入統合サービス・デジタル・ネットワーク番号（ＭＳＩＳＤＮ）に関連付けられうる。ＩＭＳＩは、ＨＬＲ内の加入者データベースにおけるサービス加入のための鍵として使用されうる。ＭＳＩＳＤＮは、サービス加入のために使用される端末１１０へのコールを接続するために他のユーザによってダイヤルされうる。ＩＭＳＩ、ＭＳＩＳＤＮ、およびその他の加入情報は、加入者識別モジュール（ＳＩＭ）またはユニバーサル加入者識別モジュール（ＵＳＩＭ）内に格納されうる。これらは端末１１０に挿入されうる。端末１１０はまた、ＳＩＭ／ＵＳＩＭを有さない場合もありうる。この場合、端末１１０は、ＩＭＥＩのみを有するがＩＭＳＩまたはＭＳＩＳＤＮを有さない場合がありうる。
【００２６】
無線ネットワークは、異なるタイプの緊急コールをサポートすることを要求されうる。１つのタイプは、例えば北米では「９１１」、欧州では「１１２」のようなよく知られた緊急番号をユーザがダイヤルすることによって開始される「通常の」緊急コールを含みうる。別のタイプは、前述された特徴を有しうる緊急コールであるｅコールを含みうる。ｅコールのサポートは、欧州連合、およびその他の世界地方および／または国によって要求されうる。ｅコールは、コールがなされる方式において、および、ｅコールを確立するために送信されｅコールを処理するために使用される追加の緊急関連データにおいて、通常の緊急コールとは異なりうる。例えば、追加データは、ｅコールがどのようにして開始されたか、登録優先要求、ＩＶＳに関する情報（例えば、ｅコール・オンリー・モードまたはミックス・モード）、車両タイプおよび車両識別番号（ＶＩＮ）、タイムスタンプ、位置推定値および位置信頼度フラグ、移動方向、（例えば、固定されたシート・ベルトの）乗客数、（もしあれば）端末のためのサービス・プロバイダ、トリガ・タイプ（例えば、配備されたエアバッグ、バンパ・センサ等）、および恐らくはその他の情報を含みうる。これら追加データは、本明細書においてさらに記載されたようなより高い優先登録を可能としうる。そして、端末の正確な地理的位置がＰＳＡＰに提供されるようにしうる。
【００２７】
図２は、図１における端末１１０によってｅコールを確立する（例えば、登録および実施する）ためのメッセージ・フロー２００の設計を示す。簡略のために、いくつかのネットワーク・エンティティ（例えば、ＲＡＮ１２０）およびいくつかのさほど関連性のないシグナリング・メッセージは図２には示されていない。端末１１０は、端末１１０がｅコール・オンリーＩＶＳでありモバイル・ネットワークへの登録を求めていることを示すために、データおよび／またはシグナリングを含む緊急セットアップ・メッセージを生成しうる。緊急セットアップ・メッセージを用いるこの登録要求は、サービスの登録を要求するためにＭＳＣ／ＶＬＲ１３０へ送信されうる（ステップ１）。ＭＳＣ／ＶＬＲ１３０は、このメッセージを受信しうる。そして、端末１１０をモバイル・ネットワークにより高い優先度で登録することによって応答しうる（ステップ２）。
【００２８】
いくつかの実施では、この登録要求は、ＩＶＳのホーム・ネットワーク、または、緊急セットアップ・メッセージを受信することに応じてＩＶＳが登録を求めるネットワーク（例えば、訪問ネットワーク）かのいずれかによって直ちに承認されうる。このように、ローミング中に緊急コールを行うために、ｅコール・オンリーＩＶＳは、（仮にあった場合）いくつかの利用可能なローミング・ネットワークの１つが、最終的にＩＶＳのホーム・ネットワークによって受諾される前に、これらローミング・ネットワークへの登録を試みる必要はないだろう。その代わりに、登録は直ちに受諾されるだろう。
【００２９】
その後、端末１１０は、ｅコールを行うために、緊急セットアップ・メッセージを送信しうる（ステップ３）。緊急セットアップ・メッセージは、端末１１０の登録のために既に送信されている緊急セットアップ・メッセージと同じメッセージであることができるか、または、別の、あるいは、新たに生成された緊急セットアップ・メッセージでありうる。
【００３０】
ＭＳＣ／ＶＬＲ１３０はこのメッセージを受信し、端末１１０のためのコールを開始するために、ルータまたはスイッチ１５０に初期アドレス・メッセージを送信しうる（ステップ４）。ルータまたはスイッチ１５０は、その後、端末１１０のためのコールを確立するために、ＰＳＡＰ１６０へコール・セットアップ・メッセージを送信しうる（ステップ５）。ＰＳＡＰ１６０は、接続メッセージをルータまたはスイッチ１５０に返信しうる（ステップ６）。ルータまたはスイッチ１５０はその後、ＭＳＣ／ＶＬＲ１３０へ回答メッセージを返信しうる。（ステップ７）。ＭＳＣ／ＶＬＲ１３０は、その後、接続メッセージを端末１１０へ返信しうる（ステップ８）。端末１１０は、ＰＳＡＰ１６０への可能な転送のために、ｅコールのための追加データをネットワークへ転送しうる（ステップ９）。追加データの転送はまた、ステップ３、４、５において、または、ステップ９よりも前のその他いくつかのステップにおいて実行されうる。いずれにせよ、ｅコールは、ステップ８，９の後に、端末１１０のために確立されうる。端末１１０は、その後、ｅコールのために、ＰＳＡＰ１６０と通信しうる。
【００３１】
ｅコールは、（例えば、車両の衝突により）端末１１０によって自動的に開始されうるか、または、ユーザ（例えば、車両所有者）によってマニュアルで開始されうる。端末１１０は、例えばセルラ電話、ＩＶＳ等のようなｅコール機能をサポートする任意のデバイスでありうる。１つの設計では、端末１１０は、緊急コール・セットアップにおいてｅコール・インジケータを提供しうる。ｅコール・インジケータは、以下のうちの１つを伝送しうる。ユーザによって開始されるマニュアル開始ｅコール（ＭＩｅＣ）、または、端末によって開始される自動開始ｅコール（ＡＩｅＣ）。
【００３２】
ｅコール・インジケータは、ｅコールを通常の緊急コールと区別するため、ｅコールのフィルタ、または、適切なＰＳＡＰ（例えば、ｅコールを受信するために装備されたＰＳＡＰ）へのルーティングのため、および／または、例えば、端末をｅコール・オンリーＩＶＳとして特定するようなその他の目的のため、無線ネットワークによって使用されうる。ｅコール・インジケータは、緊急コール・セットアップ中に、さまざまな方式で端末１１０によって伝送されうる。ｅコール・インジケータは、サービス要求メッセージ、緊急セットアップ・メッセージ、セットアップ・メッセージ、位置更新メッセージ、または、端末１１０によって送信されたその他いくつかのメッセージで送信されうる。
【００３３】
図３は、ｅコール・オンリーＩＶＳのためにより高い優先登録を要求する１または複数のインジケータを伝送しうる緊急セットアップ・メッセージ３００の設計を示す。緊急セットアップ・メッセージは、さまざまな情報要素（ＩＥ）を含みうる。これらのうちの１つは、端末によって行われているサービスに関する情報を無線ネットワークに提供するために使用されるサービス・カテゴリＩＥでありうる。ｅコールの場合、サービス・カテゴリＩＥは、（ｉ）サービス・カテゴリＩＥに割り当てられた特定の値に設定されうるサービス・カテゴリＩＥ識別子（ＩＥＩ）、（ｉｉ）サービス・カテゴリＩＥの長さを示すサービス・カテゴリ・フィールドの長さ、および、（ｉｉｉ）ｅコールに関する情報を提供する緊急サービス・カテゴリ値フィールドを含みうる。
【００３４】
図３に示される設計では、ｅコール・オンリーＩＶＳインジケータのためのより高い優先登録が、緊急サービス・カテゴリ値フィールドにおける２ビットで実施されうる。より高い優先登録要求を伝送するために、（ビットｘとラベルされた）１ビットが「１」に設定されうる。それ以外は「０」に設定されうる。ｅコール・オンリーＩＶＳを伝送するために（ビットｙとラベルされた）他の１ビットが「１」に設定されうる。それ以外は「０」に設定されうる。別の設計では、ｅコール・オンリーＩＶＳインジケータのためのより高い優先登録が、ｅコール・オンリーＩＶＳのためのより高い優先登録を示すために「１」に設定され、それ以外は「０」に設定されうる１ビットで実施されうる。ｅコール・インジケータはまた、サービス・カテゴリＩＥにおいてその他の方式で、または、緊急セットアップ・メッセージにおけるいずれかの場所でも実施されうる。
【００３５】
別の設計では、新たなＩＥが、ｅコール・オンリーＩＶＳインジケータのためにより高い優先登録を伝送するために定義されうる。この新たなＩＥは、個別のＩＥＩを割り当てられ、サービス・カテゴリＩＥのために、前述したように設定されうる１ビットまたは２ビットを備えるインジケータを伝送しうる。
【００３６】
図４は、ｅコール登録のために端末によって実行される処理４００の設計の実施を示す。４１０において、端末は、端末がｅコール・オンリーＩＶＳであり、高い優先登録が要求されていることを示すインジケータを備える緊急セットアップ・メッセージを生成しうる。４２０において、端末は、ｅコールのために端末を登録するためのメッセージを送信しうる。この登録によって、ネットワークは、端末の存在を知ることができるようになりうる。
【００３７】
第１の設計では、緊急セットアップ・メッセージは、例えば図３に示されるように、ｅコール・インジケータのために使用される少なくとも１ビットを有するサービス・カテゴリ情報要素を備えうる。１つの設計では、ｅコール・インジケータのために使用される少なくとも１ビットは、（ｉ）高い優先登録要求を示す第１のビットと、（ｉｉ）ｅコール・オンリーＩＶＳを示す第２のビットとを備えうる。別の設計では、このインジケータのために使用される少なくとも１ビットは、ｅコール・オンリーＩＶＳのための高い優先登録要求を示す単一ビットを備えうる。
【００３８】
このインジケータは、訪問ネットワークまたはホーム・ネットワークでありうるネットワークに、ＩＶＳが緊急にあることを示すインジケーションを提供する。このように、ホーム・ネットワークは、ＩＶＳが、緊急にあること、および、ｅコール・オンリーＩＶＳであることを、（例えば、ルックアップ・テーブル（ＬＵＴ）を用いて、または、その後のメッセージング、プロービング、またはシグナリングによって、）個別に判定する必要はない。実施では、訪問ネットワーク（または、ホーム・ネットワーク）は、高い優先登録要求を持つ緊急セットアップ・メッセージを受信することに応じて、ネットワークにＩＶＳを直ちに登録しうる。したがって、モバイル・ネットワークへのＩＶＳの従来のローミング登録は回避される。
【００３９】
図５は、ｅコール登録をサポートするために無線ネットワークによって実行される処理５００の設計の実施を示す。５１０において、ネットワークは、端末から、ｅコールを登録するためのメッセージを受信しうる。このメッセージは、一般的なまたは従来の登録メッセージではなく、緊急セットアップ・メッセージでありうる。５２０において、ネットワークは、このメッセージからインジケータを取得しうる。このインジケータは、端末がｅコール・オンリーＩＶＳであり、高い優先登録を要求しているとの情報を備えうる。５３０において、ネットワークは、このメッセージにおけるインジケータに基づいて、緊急サービスを求めるその後のコールのために、高い優先度で、ネットワークに端末を登録しうる。
【００４０】
端末が登録された後、緊急コールが実施されうる。従来、緊急セットアップ・シグナリングは、ＩＶＳのモバイル・ネットワークへの登録後にｅコール緊急コールを開始するためにのみ使用されている。ここで、実施では、緊急セットアップ・シグナリング（例えば、緊急セットアップ・メッセージ）は、ｅコール・オンリー・モードＩＶＳをモバイル・ネットワークに登録することに高い優先度を与えるために使用される。したがって、ＩＶＳは、ｅコール緊急がＩＶＳにおいてトリガされた直後に、モバイル・ネットワークから、より高い優先度を取得しうる。
【００４１】
ＩＶＳは、モバイル・ネットワークへの接続を要求する場合、ネットワークに登録するために、「登録」の代わりに「緊急セットアップ」を使用しうる。ＩＶＳは、接続の確立に使用される「緊急セットアップ」を用いて、登録するのにより高い優先度を有するようになるだろう。そして、これは、緊急犠牲者が救援隊または緊急サービス・チームへの最も早い接続を得ることを保証する。緊急セットアップを用いてＩＶＳが登録された後であっても、緊急コール自身が開始および実施されねばならないことが注目される。
【００４２】
図６は、モバイル・ネットワークを介して緊急コールを確立する方法６００の動作フローである。６１０において、ｅコール緊急が（例えば、ｅコール・オンリー・モードＩＶＳが装備されている車両を含む衝突によって）トリガされる。６２０において、ＩＶＳによって緊急セットアップ・メッセージが生成され、ＩＶＳからローカルなモバイル・ネットワークへ送信される。緊急セットアップ・メッセージの例が、図３に関連して前述された。
【００４３】
６３０において、モバイル・ネットワークは、緊急セットアップ・メッセージを認識し、高い優先登録をＩＶＳに提供する。６４０において、ＩＶＳがモバイル・ネットワークに登録された後、ＩＶＳは、緊急セットアップ・メッセージ（または、実装に依存して、別のメッセージ）を用いてｅコール緊急コールを開始する。
【００４４】
位置更新メッセージは、例えば、端末が新たな位置エリアまたは異なるＰＬＭＮに移動した場合、現在位置を示すために、位置更新を実行した場合に端末によって生成され送信されるメッセージである。この位置更新メッセージは、新たなＭＳＣ／ＶＬＲへ送信される。このＭＳＣ／ＶＬＲは、加入者のＨＬＲへ位置情報を与える。さらに詳しくは、端末は、電源を投入されると、その国際モバイル加入識別情報（ＩＭＳＩ）をネットワークに示すことによって、位置更新手順を実行する。第１の位置更新手順は、ＩＭＳＩ接続手順と呼ばれる。端末はまた、新たな位置エリアまたは異なるＰＬＭＮに移動した場合には、その現在位置を示すために、位置更新をも実行する。この位置更新メッセージは、新たなＭＳＣ／ＶＬＲへ送信される。このＭＳＣ／ＶＬＲは、加入者のＨＬＲへ位置情報を与える。また、位置更新は、定期的にも実行される。
【００４５】
位置更新メッセージは、位置更新タイプ・フィールドを有する。位置更新タイプ・フィールドにおけるビットのうちの２ビットは、位置更新の原因を示すために使用される。この値は「原因」値と呼ばれ、例えば、通常の位置更新（例えば、値＝００）、定期的な更新（例えば、値＝０１）、およびＩＭＳＩ接続（例えば、値＝１０）のような周知の原因に対応する値を有する。実施では、高い優先度で登録が実行されるべきであること、および、緊急コール・セットアップにしたがっていることを示す原因値が設定されうる。例えば、位置更新メッセージの原因値＝１１は、緊急コール・セットアップにしたがう高い優先（すなわち、緊急）登録を示すために使用されうる。
【００４６】
位置更新メッセージはまた、追加の更新パラメータ・フィールドを有する。実施では、登録が高い優先度で実行されるべきであること、および、緊急コール・セットアップにしたがっていることを示すために、追加の更新パラメータ・フィールドのうちの少なくとも１ビットが設定されうる。
【００４７】
したがって、実施では、ラジオ・リソースがＩＶＳに割り当てられた場合、緊急による登録を示す登録メッセージが、モバイル・ネットワークへ送信される。モバイル・ネットワークはその後、この登録に、より高い優先度を与えうる。そして、登録が完了すると、ＩＶＳは、緊急コールを確立するために、緊急セットアップ・メッセージを送信するだろう。
【００４８】
図７は、ｅコール・インジケータを伝送する位置更新メッセージ７００を示す。図７では、位置更新メッセージ７００は、位置更新タイプ・フィールド７０５を備える。位置更新タイプ・フィールド７０５は、位置更新において使用されうる複数のビット（例えば８ビット）を備える。これらビットのうちの１または複数が、ｅコールのために要求された登録を示すために使用されうる。その結果、より高い優先登録に、緊急コール・セットアップが後続するようになる。実施では、位置更新タイプ・フィールド７０５のうちの２ビット、例えば、原因値ビットに対応するＬＵＴ７０８ビットが使用されうる。これらの原因値ビットは、ｅコールのために要求された登録を示す値に設定されうる。例えば、１１である原因値（２ビットがおのおの１に設定されていることを意味する）は、ｅコールのために要求された登録を示しうる。一方、その他の原因値は、従来の意味（例えば、００は通常の位置更新、０１は定期的な更新、１０はＩＭＳＩ接続）を保ちうる。
【００４９】
あるいは、または、それに加えて、位置更新メッセージのうちの追加の更新パラメータ・フィールド７０６のうちの１または複数のビット（例えば、スペア・ビット）が、ｅコール・インジケータを伝送するために使用されうる。追加の更新パラメータ・フィールド７０６は、位置更新において使用されうる複数のビット（例えば、８ビット）を備える。これらビットのうちの１または複数は、ｅコールのために要求された登録を示すために使用されうる。その結果、より高い優先登録に、緊急コール・セットアップが後続するようになる。実施では、追加の更新パラメータ・フィールド７０６のうちの１ビット、例えば、スペア・ビットに対応する追加の送信パラメータ７０９ビットが使用されうる。これらのスペア・ビットは、ｅコールのために要求された登録を示す値に設定されうる。例えば、１に設定された第３ビットは、ｅコールのために要求された登録を示しうる。一方、０に設定されたこの第３ビットは、通常のサービスのための登録を示しうる。さらに、追加の更新パラメータ・フィールド７０６の全体が省かれている場合、登録要求は、通常のサービスのため（すなわち、ｅコールのためではない）のものである。これら技術のうちの任意の１つまたは複数は、登録がｅコールのためであることを示すために使用されうる。
【００５０】
図８は、緊急コール確立が後続する、位置更新メッセージを用いたｅコール端末（例えば、図１における端末１１０）による登録のためのメッセージ・フロー８００の実施を示す。簡略のために、いくつかのネットワーク・エンティティおよびいくつかのさほど関連性のないシグナリング・メッセージは図８には示されていない。
【００５１】
８０１において、端末１１０は、ラジオ・アクセス・ネットワーク（ＲＡＮ）１２０にアクセスするために、ランダム・アクセス・チャネル（ＲＡＣＨ）を用いる。ここで、原因は、緊急コールに設定されている。これによって、ＲＡＮ１２０は、端末１１０に優先度を与えることができる。ＲＡＣＨは、基地局との送信を最初に同期させるために、基地局の注意を引く必要がある場合には、モバイル電話またはその他の無線デバイスで使用される。ＲＡＣＨは、特に初期アクセス・データ送信のために、アクセス・ネットワーク（例えば、ＴＤＭＡ／ＦＤＭＡ、およびＣＤＭＡベースのネットワーク）にアクセスするために無線アクセス端末によって使用される。ＲＡＮ１２０は、ＧＥＲＡＮでありうる。これは、ＧＳＭ  ＥＤＧＥラジオ・アクセス・ネットワークの略語である。８０２では、ＲＡＣＨを介して緊急コール信号が受信されると、ＲＡＮ１２０は、端末１１０へ、即時割当を送信する。即時割当は、ＲＡＣＨにおいて緊急コール原因によって示される高い優先度にしたがって提供される。したがって、８０１と８０２は、緊急手順のためのラジオ接続を確立する。
【００５２】
ラジオ接続が確立されると、緊急目的のための登録が実行されうる。８０３では、端末１１０は、ｅコール・インジケータを用いて（すなわち、緊急コールのための登録のために）位置更新メッセージを生成し、ＭＳＣ／ＶＬＲ１３０へ送信する。したがって、ｅコール・インジケータは、登録のためのより高い優先度を端末１１０およびそのコールに与えるために、位置更新が緊急コールのためであることを示すだろう。これによって、ＭＳＣ／ＶＬＲ１３０（および例えばＨＬＲ１４０のようなＨＬＲ）は、（例えば、ステアリング、ローミング等を実行しない）端末１１０を登録する際における遅れを回避できるようになる。端末１１０が識別され、ＭＳＣ／ＶＬＲ１３０へ認証される８０４おいて、端末１１０およびＭＳＣ／ＶＬＲ１３０が識別手順および認証手順を実行した後、ＭＳＣ／ＶＬＲ１３０は、８０５において、位置更新受諾メッセージを端末１１０へ送信する。
【００５３】
いくつかの実施では、登録要求が、ＩＶＳのホーム・ネットワーク、または、ＩＶＳがより高い優先登録のｅコール・インジケータを伴う位置更新メッセージを受信することにしたがって登録を求めるネットワーク（例えば、訪問ネットワーク）、の何れかによって直ちに承認されうる。このように、ローミング中に緊急コールを行うために、ｅコール・オンリーＩＶＳは、（仮にあったとしても）いくつかの利用可能なローミング・ネットワークの１つが、最終的にＩＶＳのホーム・ネットワークによって受諾される前に、これらローミング・ネットワークへの登録を試みる必要はないだろう。その代わりに、登録は直ちに受諾されるだろう。
【００５４】
コール・セットアップは、その後、既存のラジオ接続を用いて、緊急目的のために実行されうる。８０６では、端末１１０が、ｅコールを行うために緊急セットアップ・メッセージ（例えば、レガシー緊急セットアップ・メッセージ、または、本明細書でさらに説明される緊急セットアップ・メッセージ）を生成してＭＳＣ／ＶＬＲ１３０へ送信することによってコール・セットアップが開始される。８０７では、ＭＳＣ／ＶＬＲ１３０が、このメッセージを受信し、端末１１０のためのコールを開始するために、初期アドレス・メッセージをルータまたはスイッチ１５０へ送信しうる。その後、ルータまたはスイッチ１５０は、８０８において、端末１１０のためのコールを確立するために、コール・セットアップ・メッセージをＰＳＡＰ１６０へ送信しうる。８０９では、ＰＳＡＰ１６０が、接続メッセージをルータまたはスイッチ１５０へ返信しうる。ルータまたはスイッチ１５０は、その後、８１０において、回答メッセージをＭＳＣ／ＶＬＲ１３０へ返信しうる。ＭＳＣ／ＶＬＲ１３０は、その後、８１１において、接続メッセージを端末１１０へ返信しうる。８１２では、端末１１０が、ＰＳＡＰ１６０への可能な転送のために、ｅコールのための追加データをネットワークへ転送しうる。追加データの転送は、８０６，８０７，８０８において、あるいは８１２の前のその他いくつかのステップにおいて実行されうる。何れにせよ、８１１および８１２の後、端末１１０のためのｅコールが確立されうる。端末１１０は、その後、ｅコールのために、ＰＳＡＰ１６０と通信しうる。
【００５５】
図９は、モバイル・ネットワークを介して緊急コール確立が後続する、ｅコール・インジケーションを伴う位置更新メッセージを用いてｅコール登録のために端末によって実行される処理９００を示す。９１０において、ｅコール緊急が（例えば、ｅコール・オンリー・モードＩＶＳが装備されている車両を含む衝突によって）トリガされる。９２０では、ｅコール・インジケーションを伴う位置更新メッセージがＩＶＳによって生成され、９３０において、緊急サービスのためのアクセスがなされた後、ＩＶＳからモバイル・ネットワークへ送信される。登録は９４０において完了する。９５０では、緊急セットアップ・メッセージがＩＶＳによって生成され、ＩＶＳからモバイル・ネットワークへ送信される。例えば、位置更新メッセージの例は、図８に関して前述されている。例えば、緊急セットアップ・メッセージの例は、図３に関して前述されている。
【００５６】
図１０は、緊急コール確立が後続する、位置更新メッセージを用いてｅコール登録をサポートするためにネットワークによって実行される処理１０００を示す。１００１において、端末１１０からの位置更新メッセージが、ＭＳＣ／ＶＬＲ１３０において受信される。位置更新メッセージは、登録が端末１１０の緊急コールのためであることを示すように設定されたｅコール・インジケータを有する。１００２において、緊急コールのための登録を求める端末のための登録処理が、高い優先度で実行され完了する。１００３において、端末１１０からの緊急セットアップ・メッセージがＭＳＣ／ＶＬＲ１３０において受信される。１００４では、緊急コール・セットアップ処理が実行され完了する。
【００５７】
図１１は、本明細書で開示されたさまざまな実施を例示するｅコール・オンリー対応デバイスとして動作するようにプロビジョニングされうる典型的なＩＶＳ（例えば端末１１０）無線デバイスまたは装置のブロック図である。ＩＶＳまたは端末１１０は、ＩＶＳ１１０が無線通信できるようにする複数の無線モジュールに接続されたプロセッサ・モジュール１１０２を含みうる。例えば、無線モジュールは、無線音声／データ・モジュール１１０４、その他のデータ・モジュール１１０６（例えば、ブルートゥース・モジュール）、および位置決めモジュール１１０８（例えば、ＧＰＳモジュール）を含みうるが、ＩＶＳ１１０は、例示された無線モジュールには限定されない。例示された無線モジュールのおのおのは、アンテナ１１１０，１１１２，１１１４にそれぞれ接続されている。アンテナ１１１０，１１１２，１１１４は個別のアンテナとして示されているが、単一のユニタリ・アンテナも使用され、モジュール１１０４−１１０８に接続されうる。
【００５８】
プロセッサ・モジュール１１０２はまた、スピーカ／マイクロホン・モジュール１１１６、ｅコール・ボタン１１１８、車両センサ・インタフェース１１２０、およびディスプレイ・スクリーン・モジュール１１２２にも接続されうる。さらに、プロセッサ・モジュール１１０２は、ＩＶＳ１１０をｅコール・オンリー対応デバイスとしてプロビジョンする情報を含みうる記憶モジュール１１２４に接続されうる。ｅコール・ボタン１１１８は、事故時に、または、緊急サービスからの注意または支援を必要とするその他の状況において、緊急コールをマニュアルで開始するために使用されうる。車両センサ・インタフェース１１２０は、車両内に配置されたセンサ（図示せず）に接続されうる。そして、緊急サービスからの注意または支援を必要とする事故状況を検出するように設計されうる。このような車両センサは、エアバック装備メカニズム、車両ボディ保全センサ等に取り付けられうる。
【００５９】
ＩＶＳ１１０は、（登録後）緊急コール中に、ＲＡＮ１２０を介してＭＳＣ１３０へ／から音声通信およびデータ通信を送信／受信するように構成されうる。ＭＳＣ１３０は、ＩＶＳ１１０から、ルータまたはスイッチ１５０、またはＰＳＴＮ１７０を介して、ＰＳＡＰ１６０へ緊急情報が通信されるようにする。このような緊急情報は、ＩＶＳが、デバイスに格納された適切な緊急番号（例えば、１１２、９１１、０００等）を用いて緊急コールを開始すると、ＰＳＡＰ１６０へ通信されうる。緊急情報は、ユーザからのダイレクトな音声通信、および、スピーカ／マイクロホン・モジュール１１１６を介した音声通信、車両センサ・インタフェース１１２０に接続されたセンサから生成されたデータ、および、位置決めモジュール１１０８からの位置決め情報を含みうる。
【００６０】
前述したように、ＩＶＳ１１０は、ｅコール・オンリー・デバイスとしてプロビジョニングされ、このようなプロビジョニング情報は、記憶モジュール１１２４に格納されうる。記憶モジュール１１２４は、不揮発性記憶装置、揮発性記憶装置、加入者識別情報モジュール（ＳＩＭ）、ユニバーサル加入者識別情報モジュール（ＵＳＩＭ）、またはその他任意の適切な記憶可能素子でありうる。
【００６１】
スピーカ／マイクロホン・モジュール１１１６は、ＩＶＳ１１０とＰＳＡＰ１６０との間の音声コール中に使用されうる。ｅコール・オンリーＩＶＳを活性化するため、あるいは、そうではない場合には、ｅコール・システムを介したＰＳＡＰ１６０への専用の緊急データ・メッセージおよび／または緊急音声通信の生成および送信を開始するために、例えばｅコール・ボタン１１１８のようなテレマティックス・アプリケーション専用ボタンが使用されうる。さらに、データ通信の開始は、例えば、エアバック装備メカニズムに接続されたセンサのような車両センサによって自動的に遂行されうる。
【００６２】
無線モジュール１１０４−１１０８のおのおのは、例えばＣＤＭＡ、ＷＣＤＭＡ、ＧＳＭ、ＴＤＭＡ等のようなオーバ・ザ・エア・プロトコルによって、アンテナ１１１０−１１１４を用いて音声メッセージおよびデータ・メッセージを送信および符号化する送信機を含む。無線モジュール１１０４−１１０８はまた、例えば衛星通信のようなその他の無線通信によって送信するように構成されうる。無線モジュール１１０４−１１０８のおのおのはまた、セル・サイト、ＭＳＣ１３０、およびＰＳＡＰ１６０、または、通信ネットワーク１００に関連付けられたその他任意の構成要素からの音声メッセージおよびデータ・メッセージを受信および復号する受信機を含む。受信されるこのような音声メッセージおよびデータ・メッセージは、例えばＣＤＭＡ、ＷＣＤＭＡ、ＧＳＭ、ＴＤＭＡ等のようなオーバ・ザ・エア・プロトコルによって受信されうる。無線モジュール１１０４−１１０８はまた、例えば衛星通信のようなその他の無線通信を受信するようにも構成されうる。これら送信機および受信機は、統合されたトランシーバ・デバイスでありうる。これらの要素は、図１２に、より詳細に説明されている。
【００６３】
図１２は、図１および図１１における（端末１１０の）無線音声／データ・モジュール１１０４、基地局／ＲＡＮ１２０、およびＭＳＣ／ＶＬＲ１３０の設計のブロック図を示す。無線音声／データ・モジュール１１０４では、エンコーダ１２１２は、無線音声／データ・モジュール１１０４によって送信されるデータおよびメッセージを受信しうる。これらメッセージは、登録、位置更新、コール確立等のためでありうる。エンコーダ１２１２は、データおよびメッセージを処理（例えば、符号化およびインタリーブ）し、符号化されたデータおよび符号化されたシグナリングを提供しうる。変調器（Ｍｏｄ）１２１４はさらに、符号化されたデータおよびシグナリングを処理（例えば、変調、チャネル化、およびスクランブル）し、出力サンプルを提供する。送信機（ＴＭＴＲ）１２２２は、出力サンプルを調整（例えば、アナログ変換、フィルタ、増幅、および周波数アップコンバート）し、アップリンク信号を生成しうる。これは、ＲＡＮ１２０における１または複数の基地局へ送信されうる。無線音声／データ・モジュール１１０４はさらに、１または複数の基地局によって送信されたダウンリンク信号を受信しうる。受信機（ＲＣＶＲ）１２２６は、受信信号を調整（例えば、フィルタ、増幅、周波数ダウンコンバート、およびデジタル化）し、入力サンプルを提供しうる。復調器（Ｄｅｍｏｄ）１２１６は、入力サンプルを処理（例えば、デスクランブル、チャネル化、および復調）し、シンボル推定値を提供しうる。デコーダ１２１８は、シンボル推定値を処理（例えば、デインタリーブおよび復号）し、無線音声／データ・モジュール１１０４へ送信された復号されたデータおよびメッセージを提供しうる。エンコーダ１２１２、変調器１２１４、復調器１２１６、およびデコーダ１２１８は、モデム・プロセッサ１２１０によって実現されうる。これらのユニットは、無線音声／データ・モジュール１１０４が通信する無線ネットワークによって使用されるラジオ技術（例えば、ＧＳＭ、ＷＣＤＭＡ、ＬＴＥ等）にしたがって処理を実行しうる。コントローラ／プロセッサ１２３０は、無線音声／データ・モジュール１１０４におけるさまざまなユニットの動作を指示しうる。無線音声／データ・モジュール１１０４におけるプロセッサ１２３０および／またはその他のモジュールは、図４における処理４００、図９における処理９００、および／または、本明細書に記載された技術のためのその他の処理を実行または指示しうる。メモリ１２３２は、無線音声／データ・モジュール１１０４のためのプログラム・コードおよびデータを格納しうる。ＳＩＭ／ＵＳＩＭ１２３４は、無線音声／データ・モジュール１１０４のために使用されるサービス加入のための加入情報を格納しうる。
【００６４】
基地局／ＲＡＮ１２０では、送信機／受信機１２３８が、無線声／データ・モジュール１１０４およびその他の端末とのラジオ通信をサポートしうる。コントローラ／プロセッサ１２４０は、端末との通信のためのさまざまな機能を実行しうる。アップリンクの場合、無線音声／データ・モジュール１１０４からのアップリンク信号が、受信機１２３８によって受信および調整され、さらに、コントローラ／プロセッサ１２４０によって処理されて、無線音声／データ・モジュール１１０４によって送信されたデータおよびメッセージが復元される。ダウンリンクの場合、コントローラ／プロセッサ１２４０によってデータおよびメッセージが処理され、送信機１２３８によって調整されることにより、ダウンリンク信号が生成される。これは、無線音声／データ・モジュール１１０４およびその他の端末へ送信されうる。メモリ１２４２は、基地局／ＲＡＮ１２０のためのプログラム・コードおよびデータを格納しうる。通信（Ｃｏｍｍ）ユニット１２４４は、ＭＳＣ／ＶＬＲ１３０およびその他のネットワーク・エンティティとの通信をサポートしうる。
【００６５】
ＭＳＣ／ＶＬＲ１３０では、コントローラ／プロセッサ１２５０が、端末のための通信サービスをサポートするためにさまざまな機能を実行しうる。メモリ１２５２は、ＭＳＣ／ＶＬＲ１３０のためのプログラム・コードおよびデータを格納しうる。通信ユニット１２５４は、基地局／ＲＡＮ１２０およびその他のネットワーク・エンティティとの通信をサポートしうる。ＭＳＣ／ＶＬＲ１３０におけるコントローラ／プロセッサ１２５０および／またはその他のモジュールは、図５における処理、図１０における処理１０００、および／または、本明細書に記載された技術のためのその他の処理のすべてまたは位置を実行または指示しうる。
【００６６】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６７】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６８】
本明細書に記載された方法は、アプリケーションに依存してさまざまな手段によって実現されうる。例えば、これらの方法は、ハードウェア、ファームウェア、ソフトウェア、あるいはこれらの任意の組み合わせで実現されうる。ハードウェアによる実現のために、処理ユニットは、１または複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロ・プロセッサ、電子デバイス、本明細書に記載された機能を実行するために設計されたその他の電子ユニット、またはこれらの組み合わせ内で実現されうる。
【００６９】
ファームウェアおよび／またはソフトウェアによる実現のために、方法は、本明細書に記載された機能を実行するモジュール（例えば、手順、機能等）で実現されうる。本明細書に記載された方法を実現する際に、命令群を実体的に具体化する任意の機械読取可能な媒体が使用されうる。例えば、ソフトウェア・コードが、メモリに格納され、処理ユニットによって実行されうる。メモリは、処理ユニット内に、または、処理ユニット外に実装されうる。本明細書で使用されるように、用語「メモリ」は、長期、短期、揮発性、不揮発性、またはその他のうちの何れかのタイプのメモリを称し、いかなる特定のタイプまたは数のメモリも、メモリが格納される媒体のタイプにも限定されるべきではない。
【００７０】
ファームウェアおよび／またはソフトウェアで実現される場合、これら機能は、１または複数の命令群として、または、コンピュータ読取可能な媒体におけるコードとして格納されうる。例は、データ構造で符号化されたコンピュータ読取可能な媒体と、コンピュータ・プログラムで符号化されたコンピュータ読取可能な媒体とを含む。コンピュータ読取可能な媒体は、物理的なコンピュータ記憶媒体を含む。記憶媒体は、コンピュータによってアクセスされる利用可能な任意の媒体でありうる。限定するのではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、または、命令群またはデータの形態で所望のプログラム・コードを格納するために使用され、コンピュータによるアクセスが可能なその他任意の媒体を備え、本明細書で使用されるようなｄｉｓｋおよびｄｉｓｃは、コンパクト・ディスク（ＣＤ）、レーザ・ディスク、光ディスク、デジタル多用途ディスク（ＤＶＤ）、フロッピー（登録商標）およびブルー・レイ・ディスクを含む。ここで、ｄｉｓｋは通常、データを磁気的に再生する一方、ｄｉｓｃは、データをレザーを用いて光学的に再生する。前述した組み合わせもまた、コンピュータ読取可能な媒体の範囲内に含まれるべきである。
【００７１】
コンピュータ読取可能な媒体における記憶に加えて、命令群および／またはデータは、通信装置に含まれる送信媒体における信号として提供されうる。例えば、通信装置は、命令群およびデータを示す信号を有するトランシーバを含みうる。これら命令群およびデータは、１または複数のプロセッサに対して、特許請求の範囲で概説された機能を実行させるように構成されている。すなわち、通信装置は、開示された機能を実行するための情報を示す信号を伴う送信媒体を含む。第１の時間において、通信装置に含まれる送信媒体は、開示された機能を実行するための情報の第１の部分を含みうる。一方、第２の時間において、通信装置に含まれる送信媒体は、開示された機能を実行するための情報の第２の部分を含みうる。
【００７２】
コール登録技術は、例えば無線広域ネットワーク（ＷＷＡＮ）、無線ローカル・エリア・ネットワーク（ＷＬＡＮ）、無線パーソナル・エリア・ネットワーク（ＷＰＡＮ）等のようなさまざまな無線通信ネットワークと連携して実施されうる。用語「ネットワーク」および「システム」は、しばしば置換可能に使用される。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一キャリア周波数分割多元接続（ＳＣ−ＦＤＭＡ）ネットワーク、ロング・ターム・イボリューション（ＬＴＥ）、等でありうる。ＣＤＭＡネットワークは、例えばｃｄｍａ２０００、広帯域ＣＤＭＡ（Ｗ−ＣＤＭＡ）等のような１または複数のラジオ・アクセス技術（ＲＡＴ）を実施しうる。Ｃｄｍａ２０００は、ＩＳ−９５規格、ＩＳ−２０００規格、およびＩＳ−８５６規格を含んでいる。ＴＤＭＡネットワークは、グローバル移動体通信システム（ＧＳＭ（登録商標））、デジタル・アドバンスト・モバイル電話システム（Ｄ−ＡＭＰＳ）、またはその他いくつかのＲＡＴを実施しうる。ＧＳＭおよびＷ−ＣＤＭＡは、「第３世代パートナシップ計画」（３ＧＰＰ）と命名されたコンソーシアムからの文書に記載されている。Ｃｄｍａ２０００は、「第３世代パートナシップ計画２」（３ＧＰＰ２）と命名されたコンソーシアムからの文書に記載されている。３ＧＰＰと３ＧＰＰ２のドキュメントは公的に利用可能である。ＷＬＡＮは、ＩＥＥＥ  ８０２．１１ｘネットワークであり、ＷＰＡＮは、Ｂｌｕｅｔｏｏｔｈ（登録商標）ネットワーク、ＩＥＥＥ  ８０２．１５ｘ、あるいはその他のいくつかのタイプのネットワークでありうる。これら技術はまた、ＷＷＡＮ、ＷＬＡＮ、および／またはＷＰＡＮからなる任意の組み合わせと連携して実施されうる。
【００７３】
本開示の前述した記載は、当業者をして、本開示の製造または利用を可能とするように提供される。この開示に対するさまざまな変形は、当業者に容易に明らかであって、本明細書で定義された一般原理は、本開示の範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【００７４】
典型的な実施は、１または複数のスタンド・アロンなコンピュータ・システムのコンテキストで現在開示されている主題の態様を利用することを称するが、主題はそのように限定されず、例えばネットワークまたは分散コンピュータ環境のような任意のコンピュータ環境と関連して実施されうる。さらに、現在開示されている主題の態様は、複数の処理チップまたはデバイスにおいて、または、複数の処理チップまたはデバイスにわたって実現され、同様に記憶も、複数のデバイスにわたって達成されうる。このようなデバイスは、例えば、ＰＣ、ネットワーク・サーバ、およびハンドヘルド・デバイスを含みうる。
【００７５】
これら主題は、構造的な特徴および／または方法的な動作に特湯の文言で記述されているが、添付された特許請求の範囲で定義された主題は、必ずしも前述された特定の機能または動作に限定される必要はないことが理解されるべきである。むしろ、前述された特定の機能および動作は、特許請求の範囲を実現する形態の例として開示されている。
以下に、出願当初の特許請求の範囲に記載された発明を付記する。
［Ｃ１］
緊急コールを確立する方法であって、
モバイル・ネットワークを介して緊急コールを行うための車両内システム（ＩＶＳ）を備える車両において、緊急をトリガすることと、
前記ＩＶＳにおいて、前記緊急コールのための位置更新メッセージを生成することと、
前記モバイル・ネットワークに前記ＩＶＳを登録するために、前記ＩＶＳから前記モバイル・ネットワークへ前記位置更新メッセージを送信することと、
前記ＩＶＳにおいて緊急セットアップ・メッセージを生成することと、
前記緊急コールを確立するために、前記ＩＶＳから前記モバイル・ネットワークへ前記緊急セットアップ・メッセージを送信することと、を備える方法。
［Ｃ２］
前記位置更新メッセージが前記モバイル・ネットワークで受信されることに応じて、前記モバイル・ネットワークへの前記ＩＶＳの登録のための高い優先度を受信すること、をさらに備えるＣ１に記載の方法。
［Ｃ３］
前記ＩＶＳは、前記高い優先度で前記モバイル・ネットワークへ登録される、Ｃ２に記載の方法。
［Ｃ４］
前記ＩＶＳが前記モバイル・ネットワークに登録された後、前記モバイル・ネットワークを介して、前記ＩＶＳによる前記緊急コールを開始すること、をさらに備えるＣ３に記載の方法。
［Ｃ５］
前記緊急コールは、前記緊急セットアップ・メッセージを用いて前記ＩＶＳによって開始される、Ｃ４に記載の方法。
［Ｃ６］
前記ＩＶＳは、緊急モードでコールを行うためにのみ動作可能である、Ｃ１に記載の方法。
［Ｃ７］
前記位置更新メッセージは、緊急コールのための登録を示すインジケータを備える、Ｃ１に記載の方法。
［Ｃ８］
前記インジケータは、緊急コール登録のための原因値を有する位置更新タイプを備える、Ｃ７に記載の方法。
［Ｃ９］
前記インジケータは、緊急コール登録のための値を含む追加の更新情報を備える、Ｃ７に記載の方法。
［Ｃ１０］
前記緊急セットアップ・メッセージは、緊急コール・インジケータのために使用される少なくとも１ビットを有するサービス・カテゴリ情報要素を備える、Ｃ１に記載の方法。
［Ｃ１１］
前記ＩＶＳは、前記位置更新メッセージが前記モバイル・ネットワークにおいて受信されることに応じて、前記モバイル・ネットワークに直ちに登録される、Ｃ１に記載の方法。
［Ｃ１２］
前記ＩＶＳは、前記モバイル・ネットワークが訪問ネットワークであるかホーム・ネットワークであるかに関わらず、前記モバイル・ネットワークに直ちに登録される、Ｃ１１に記載の方法。
［Ｃ１３］
前記モバイル・ネットワークは訪問ネットワークである、Ｃ１に記載の方法。
［Ｃ１４］
前記モバイル・ネットワークはホーム・ネットワークである、Ｃ１に記載の方法。
［Ｃ１５］
緊急コールを確立する装置であって、
モバイル・ネットワークを介して緊急コールを行うための車両内システム（ＩＶＳ）を備える車両において、緊急をトリガする手段と、
前記ＩＶＳにおいて、前記緊急コールのための位置更新メッセージを生成する手段と、
前記モバイル・ネットワークに前記ＩＶＳを登録するために、前記ＩＶＳから前記モバイル・ネットワークへ前記位置更新メッセージを送信する手段と、
前記ＩＶＳにおいて緊急セットアップ・メッセージを生成する手段と、
前記緊急コールを確立するために、前記ＩＶＳから前記モバイル・ネットワークへ前記緊急セットアップ・メッセージを送信する手段と、を備える装置。
［Ｃ１６］
前記位置更新メッセージが前記モバイル・ネットワークで受信されることに応じて、前記モバイル・ネットワークへの前記ＩＶＳの登録のための高い優先度を受信する手段、をさらに備えるＣ１５に記載の装置。
［Ｃ１７］
前記ＩＶＳは、前記高い優先度で前記モバイル・ネットワークへ登録される、Ｃ１６に記載の装置。
［Ｃ１８］
前記ＩＶＳが前記モバイル・ネットワークに登録された後、前記モバイル・ネットワークを介して、前記ＩＶＳによる前記緊急コールを開始する手段、をさらに備えるＣ１７に記載の装置。
［Ｃ１９］
前記緊急コールは、前記緊急セットアップ・メッセージを用いて前記ＩＶＳによって開始される、Ｃ１８に記載の装置。
［Ｃ２０］
前記ＩＶＳは、緊急モードでコールを行うためにのみ動作可能である、Ｃ１５に記載の装置。
［Ｃ２１］
前記位置更新メッセージは、緊急コールのための登録を示すインジケータを備える、Ｃ１５に記載の装置。
［Ｃ２２］
前記インジケータは、緊急コール登録のための原因値を有する位置更新タイプを備える、Ｃ２１に記載の装置。
［Ｃ２３］
前記インジケータは、緊急コール登録のための値を含む追加の更新情報を備える、Ｃ２１に記載の装置。
［Ｃ２４］
前記緊急セットアップ・メッセージは、緊急コール・インジケータのために使用される少なくとも１ビットを有するサービス・カテゴリ情報要素を備える、Ｃ１５に記載の装置。
［Ｃ２５］
前記ＩＶＳは、前記位置更新メッセージが前記モバイル・ネットワークにおいて受信されることに応じて、前記モバイル・ネットワークに直ちに登録される、Ｃ１５に記載の装置。
［Ｃ２６］
前記ＩＶＳは、前記モバイル・ネットワークが訪問ネットワークであるかホーム・ネットワークであるかに関わらず、前記モバイル・ネットワークに直ちに登録される、Ｃ２５に記載の装置。
［Ｃ２７］
前記モバイル・ネットワークは訪問ネットワークである、Ｃ１５に記載の装置。
［Ｃ２８］
前記モバイル・ネットワークはホーム・ネットワークである、Ｃ１５に記載の装置。
［Ｃ２９］
モバイル・ネットワークを介して緊急コールを行うための車両内システム（ＩＶＳ）を備える車両において、緊急をトリガすることと、
前記ＩＶＳにおいて、前記緊急コールのための位置更新メッセージを生成することと、
前記モバイル・ネットワークに前記ＩＶＳを登録するために、前記ＩＶＳから前記モバイル・ネットワークへ前記位置更新メッセージを送信することと、
前記ＩＶＳにおいて緊急セットアップ・メッセージを生成することと、
前記緊急コールを確立するために、前記ＩＶＳから前記モバイル・ネットワークへ前記緊急セットアップ・メッセージを送信することと、をコンピュータに実行させる命令群を備える非一時的なコンピュータ読取可能な媒体。
［Ｃ３０］
前記位置更新メッセージが前記モバイル・ネットワークで受信されることに応じて、前記モバイル・ネットワークへの前記ＩＶＳの登録のための高い優先度を受信すること、をコンピュータに実行させるコンピュータ実行可能な命令群をさらに備える、Ｃ２９に記載のコンピュータ読取可能な媒体。
［Ｃ３１］
前記ＩＶＳは、前記高い優先度で前記モバイル・ネットワークへ登録される、Ｃ３０に記載のコンピュータ読取可能な媒体。
［Ｃ３２］
前記ＩＶＳが前記モバイル・ネットワークに登録された後、前記モバイル・ネットワークを介して、前記ＩＶＳによる前記緊急コールを開始すること、をコンピュータに実行させるコンピュータ実行可能な命令群をさらに備える、Ｃ３１に記載のコンピュータ読取可能な媒体。
［Ｃ３３］
前記緊急コールは、前記緊急セットアップ・メッセージを用いて前記ＩＶＳによって開始される、Ｃ３２に記載のコンピュータ読取可能な媒体。
［Ｃ３４］
前記ＩＶＳは、緊急モードでコールを行うためにのみ動作可能である、Ｃ２９に記載のコンピュータ読取可能な媒体。
［Ｃ３５］
前記位置更新メッセージは、緊急コールのための登録を示すインジケータを備える、Ｃ２９に記載のコンピュータ読取可能な媒体。
［Ｃ３６］
前記インジケータは、緊急コール登録のための原因値を有する位置更新タイプを備える、Ｃ３５に記載のコンピュータ読取可能な媒体。
［Ｃ３７］
前記インジケータは、緊急コール登録のための値を含む追加の更新情報を備える、Ｃ３５に記載のコンピュータ読取可能な媒体。
［Ｃ３８］
前記緊急セットアップ・メッセージは、緊急コール・インジケータのために使用される少なくとも１ビットを有するサービス・カテゴリ情報要素を備える、Ｃ２９に記載のコンピュータ読取可能な媒体。
［Ｃ３９］
前記ＩＶＳは、前記位置更新メッセージが前記モバイル・ネットワークにおいて受信されることに応じて、前記モバイル・ネットワークに直ちに登録される、Ｃ２９に記載のコンピュータ読取可能な媒体。
［Ｃ４０］
前記ＩＶＳは、前記モバイル・ネットワークが訪問ネットワークであるかホーム・ネットワークであるかに関わらず、前記モバイル・ネットワークに直ちに登録される、Ｃ３９に記載のコンピュータ読取可能な媒体。
［Ｃ４１］
緊急コールを確立する装置であって、
モバイル・ネットワークを介して緊急コールを行うための車両内システム（ＩＶＳ）を備える車両において、緊急をトリガし、
前記ＩＶＳにおいて、前記緊急コールのための位置更新メッセージを生成し、
前記ＩＶＳにおいて、緊急セットアップ・メッセージを送信する少なくとも１つのプロセッサと、
前記モバイル・ネットワークに前記ＩＶＳを登録するために、前記ＩＶＳから前記モバイル・ネットワークへ前記位置更新メッセージを送信し、
前記緊急コールを確立するために、前記ＩＶＳから前記モバイル・ネットワークへ前記緊急セットアップ・メッセージを送信する送信機と、を備える装置。
［Ｃ４２］
前記位置更新メッセージが前記モバイル・ネットワークで受信されることに応じて、前記モバイル・ネットワークへの前記ＩＶＳの登録のための高い優先度を受信する受信機、をさらに備えるＣ４１に記載の装置。
［Ｃ４３］
前記少なくとも１つのプロセッサは、前記ＩＶＳが前記モバイル・ネットワークに登録された後、前記モバイル・ネットワークを介して、前記ＩＶＳによる前記緊急コールを開始する、Ｃ４２に記載の装置。
［Ｃ４４］
前記緊急コールは、前記緊急セットアップ・メッセージを用いて前記ＩＶＳによって開始される、Ｃ４３に記載の装置。
［Ｃ４５］
前記ＩＶＳは、緊急モードでコールを行うためにのみ動作可能である、Ｃ４１に記載の装置。
［Ｃ４６］
前記位置更新メッセージは、緊急コールのための登録を示すインジケータを備える、Ｃ４１に記載の装置。
［Ｃ４７］
前記インジケータは、緊急コール登録のための原因値を有する位置更新タイプを備える、Ｃ４６に記載の装置。
［Ｃ４８］
前記インジケータは、緊急コール登録のための値を含む追加の更新情報を備える、Ｃ４６に記載の装置。
［Ｃ４９］
前記緊急セットアップ・メッセージは、緊急コール・インジケータのために使用される少なくとも１ビットを有するサービス・カテゴリ情報要素を備える、Ｃ４１に記載の装置。
［Ｃ５０］
前記ＩＶＳは、前記位置更新メッセージが前記モバイル・ネットワークにおいて受信されることに応じて、前記モバイル・ネットワークに直ちに登録される、Ｃ４１に記載の装置。
【図１】
0005739060.tif 000002
【図２】
0005739060.tif 000003
【図３】
0005739060.tif 000004
【図４】
0005739060.tif 000005
【図５】
0005739060.tif 000006
【図６】
0005739060.tif 000007
【図７】
0005739060.tif 000008
【図８】
0005739060.tif 000009
【図９】
0005739060.tif 000010
【図１０】
0005739060.tif 000011
【図１１】
0005739060.tif 000012
【図１２】
0005739060.tif 000013